【事件の表示】
　特許第６５３１３７１号発明「積層剥離容器」の特許異議申立事件について、次のとおり決定する。
【結論】
　特許第６５３１３７１号の特許請求の範囲を、訂正請求書に添付された訂正特許請求の範囲のとおり、訂正後の請求項〔１〜４〕について訂正することを認める。
　特許第６５３１３７１号の請求項１〜４に係る特許を維持する。
【理由】
第１　手続の経緯
　特許第６５３１３７１号の請求項１〜４に係る特許についての出願は、平成２６年１０月２２日（優先権主張　平成２５年１１月２７日）の出願であって、令和元年５月３１日にその特許権の設定登録がされ、令和元年６月１９日に特許掲載公報が発行された。
　本件特許異議の申立ての経緯は、次のとおりである。
令和　元年１２月　５日　　：特許異議申立人高市悦永（当審注：「高」は正しくは異字体のいわゆるはしごだか。）（以下「申立人１」という。）による請求項１〜４に係る特許に対する特許異議の申立て
令和　元年１２月１９日　　：特許異議申立人小園祐子（以下「申立人２」という。）による請求項１〜４に係る特許に対する特許異議の申立て
令和　２年　３月２４日付け：取消理由通知
令和　２年　５月１２日　　：特許権者による意見書の提出
令和　２年　６月１７日　　：申立人１による上申書の提出
令和　２年　７月２１日付け：取消理由通知（決定の予告）
令和　２年　９月１０日　　：特許権者による訂正請求書及び意見書の提出
令和　２年　９月３０日付け：訂正拒絶理由通知
令和　２年１０月１６日　　：特許権者による意見書の提出
令和　３年　１月２６日　　：申立人１による意見書の提出
第２　訂正の適否
１．訂正の内容
　上記令和２年９月１０日提出の訂正請求書による訂正の請求を、以下「本件訂正請求」といい、訂正自体を「本件訂正」という。
　本件訂正の内容は、訂正箇所に下線を付して示すと、次のとおりである。
（１）訂正事項１
　訂正前の特許請求の範囲の請求項１において、
「外層と内層とを備え、内容物の減少に伴って前記内層が前記外層から剥離し収縮する積層剥離容器であって、」
と記載されているのを、
「
容器本体と、キャップを備える積層剥離容器であって、
前記容器本体は、
前記外層によって外殻が構成され、前記内層によって内袋が構成され、
て前記内袋が
ように構成され
に訂正する（請求項１の記載を直接的又は間接的に引用する請求項２〜４も同様に訂正する）。
（２）訂正事項２
　訂正前の特許請求の範囲の請求項１において、
「外層は、プロピレンと別のモノマーとの間のランダム共重合体からなるプロピレン共重合体層を備え、」
と記載されているのを、
「外層は、プロピレンと
エチレン
に訂正する（請求項１の記載を直接的又は間接的に引用する請求項２〜４も同様に訂正する）。
（３）訂正事項３
　訂正前の特許請求の範囲の請求項１において、
「前記内層は、最外層として、ＥＶＯＨ樹脂からなるＥＶＯＨ層を備える、」
と記載されているのを、
「前記内層は、最外層として、ＥＶＯＨ樹脂からなるＥＶＯＨ層を備え
、
前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であり、
前記外殻には、前記内袋と前記外殻の間の中間空間に外気を導入する外気導入孔が設けられ、
前記容器本体は、前記内容物を収容する収容部と、前記収容部から内容物を吐出する口部を備え、
前記容器本体は、ブロー成形体であり、
前記容器本体の底面には、前記底面から突出する底シール突出部が設けられ、
前記底シール突出部は、前記外層と前記内層に対応する積層構造を有する積層パリソンを用いたブロー成形における前記積層パリソンのシール部であり、
前記内容物は、醤油であり、
前記キャップは、前記口部に装着され、且つ逆止弁を有し、
前記逆止弁は、前記内容物の吐出を許容し、且つ前記内袋内への外気の取り込みを制限するように構成され、
前記外殻に圧縮力を加えることによって前記内容物が吐出されるように構成され
に訂正する（請求項１の記載を直接的又は間接的に引用する請求項２〜４も同様に訂正する）。
（４）訂正事項４
　訂正前の特許請求の範囲の請求項２において、
「前記ＥＶＯＨ樹脂の融点は、前記ランダム共重合体よりも高い、」
と記載されているのを、
「前記ＥＶＯＨ樹脂の融点は、前記ランダム共重合体よりも
高く、
前記底シール突出部は、折り曲げられている
に訂正する（請求項２の記載を直接的又は間接的に引用する請求項３、４も同様に訂正する）。
（５）訂正事項５
　訂正前の特許請求の範囲の請求項３において、
「前記ＥＶＯＨ樹脂の融点は、前記ランダム共重合体の融点よりも１５℃以上高い、」
と記載されているのを、
「前記ＥＶＯＨ樹脂の融点は、前記ランダム共重合体の融点よりも１５℃以上高
く、
前記底シール突出部において、前記内層が前記外層によって挟まれている
に訂正する（請求項３の記載を直接的に引用する請求項４も同様に訂正する）。
（６）訂正事項６
　訂正前の特許請求の範囲の請求項４において、
「前記内層は、前記ＥＶＯＨ層よりも容器内面側に接着層を介してポリエチレン層を備える、」 
と記載されているのを、
「前記内層は、前記ＥＶＯＨ層よりも容器内面側に接着層を介してポリエチレン層を備え
、
前記外気導入孔を通じた空気の出入りを調整する弁部材が前記外気導入孔に装着されている
に訂正する。
（７）訂正事項７
　訂正前の特許請求の範囲の請求項４において、
「、請求項２又は請求項３に記載の積層剥離容器。」
と記載されているのを、
「
、
に訂正する。
２．一群の請求項について
　本件訂正前の請求項１〜４について、請求項２〜４は、訂正前の請求項１の記載を直接的又は間接的に引用するものであって、上記訂正事項１によって訂正される請求項１に連動して訂正されるものであるから、本件訂正請求は、特許法第１２０条の５第４項に規定する一群の請求項ごとにされたものである。
３．訂正の目的の適否、新規事項の有無、特許請求の範囲の拡張・変更の存否
（１）訂正事項１について
ア　訂正の目的について
　上記訂正事項１は、訂正前の請求項１の「外層と内層とを備え、内容物の減少に伴って前記内層が前記外層から剥離し収縮する積層剥離容器」について、「容器本体と、キャップを備える積層剥離容器であって、前記容器本体は、外層と内層とを備え、前記外層によって外殻が構成され、前記内層によって内袋が構成され、内容物の減少に伴って前記内層が前記外層から剥離して前記内袋が収縮するように構成され、」と限定するものであるから、特許法第１２０条の５第２項ただし書第１号に掲げる特許請求の範囲の減縮に該当するものである。
イ　願書に添付した明細書、特許請求の範囲又は図面（以下「本件特許明細書等」という）に記載した事項の範囲内の訂正であること
　上記訂正事項１は、本件特許明細書等の【００１２】〜【００１４】の記載に基づくものであるから、上記訂正事項１は、本件特許明細書等に記載した事項の範囲内の訂正であり、特許法第１２０条の５第９項の規定によって準用する第１２６条第５項に適合するものである。
ウ　実質上特許請求の範囲を拡張し、又は変更する訂正ではないこと
　上記訂正事項１は、上記アに示したとおり、訂正前の請求項１を減縮するものであるから、実質上特許請求の範囲を拡張し、又は変更するものではなく、特許法第１２０条の５第９項の規定によって準用する第１２６条第６項に適合するものである。
（２）訂正事項２について
ア　訂正の目的について
　上記訂正事項２は、訂正前の請求項１の「外層」が備える「プロピレン共重合体層」について、訂正前の「プロピレンと別のモノマーとの間のランダム共重合体からなる」点を、「プロピレンとエチレンとの間のランダム共重合体からなる」点に限定するものであるから、特許法第１２０条の５第２項ただし書第１号に掲げる特許請求の範囲の減縮に該当するものである。
イ　本件特許明細書等に記載した事項の範囲内の訂正であること
　上記訂正事項２は、本件特許明細書等の【００３２】、【００５１】及び【００５２】の記載に基づくものであるから、上記訂正事項２は、本件特許明細書等に記載した事項の範囲内の訂正であり、特許法第１２０条の５第９項の規定によって準用する第１２６条第５項に適合するものである。
ウ　実質上特許請求の範囲を拡張し、又は変更する訂正ではないこと
　上記訂正事項２は、上記アに示したとおり、訂正前の請求項１を減縮するものであるから、実質上特許請求の範囲を拡張し、又は変更するものではなく、特許法第１２０条の５第９項の規定によって準用する第１２６条第６項に適合するものである。
（３）訂正事項３について
　上記訂正事項３は、訂正前の特許請求の範囲の請求項１に、
「前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であり、」
という記載を追加する訂正（以下「訂正事項３−１」という。）と、
訂正前の特許請求の範囲の請求項１に、
「前記外殻には、前記内袋と前記外殻の間の中間空間に外気を導入する外気導入孔が設けられ、」 
という記載を追加する訂正（以下「訂正事項３−２」という。）と、
訂正前の特許請求の範囲の請求項１に、
「前記容器本体は、前記内容物を収容する収容部と、前記収容部から内容物を吐出する口部を備え、」
という記載を追加する訂正（以下「訂正事項３−３」という。）と、
訂正前の特許請求の範囲の請求項１に、
「前記容器本体は、ブロー成形体であり、
前記容器本体の底面には、前記底面から突出する底シール突出部が設けられ、
前記底シール突出部は、前記外層と前記内層に対応する積層構造を有する積層パリソンを用いたブロー成形における前記積層パリソンのシール部であり、」
という記載を追加する訂正（以下「訂正事項３−４」という。）と、
訂正前の特許請求の範囲の請求項１に、
「前記内容物は、醤油であり、」
という記載を追加する訂正（以下「訂正事項３−５」という。）と、
訂正前の特許請求の範囲の請求項１に、
「前記キャップは、前記口部に装着され、且つ逆止弁を有し、
前記逆止弁は、前記内容物の吐出を許容し、且つ前記内袋内への外気の取り込みを制限するように構成され、
前記外殻に圧縮力を加えることによって前記内容物が吐出されるように構成され」
という記載を追加する訂正（以下「訂正事項３−６」という。）と、を含むものであり、以下、それぞれについて検討する。
ア　訂正事項３−１について
（ア）訂正の目的について
　上記訂正事項３−１は、訂正前の請求項１の「積層剥離容器」について、「前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であり、」と限定するものであるから、特許法第１２０条の５第２項ただし書第１号に掲げる特許請求の範囲の減縮に該当するものである。
（イ）本件特許明細書等に記載した事項の範囲内の訂正であるか否かについて
　本件特許明細書等の「外層１１は、プロピレンと別のモノマーとの間のランダム共重合体からなるランダム共重合体層を備える。外層１１は、・・・例えば、リプロ層の両側をランダム共重合体層で挟んだ構成であってもよい」（【００３１】）、及び「プロピレンと共重合されるモノマーとしては、・・・エチレンが特に好ましい。」（【００３２】）の記載から、「外層１１」の構成として、「リプロ層の両側」を「プロピレンとエチレンとの間のランダム共重合体層で挟んだ」もの、すなわち、「外層の最内層」が「プロピレンとエチレンとの間のランダム共重合体」であるものは記載されている。
　また、本件特許明細書等には、「外層１１」が「複数層構成であってもよい」（【００３１】）ことが記載されており、また、「外層１１」を構成し得る材料として、「低密度ポリエチレン、直鎖状低密度ポリエチレン、高密度ポリエチレン、ポリプロピレン、エチレン−プロピレン共重合体及びその混合物」（【００３０】）が例示されている。
　ここで、エチレン−プロピレン共重合体には、「プロピレンとエチレンとの間のランダム共重合体」以外のものも存在することは技術常識である。
　そうすると、複数層構成の「外層１１」の「最内層」の材料として、上記例示されたものから「プロピレンとエチレンとの間のランダム共重合体」を除いたものを選択して、「最内層」を「低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層」としたものは、本件特許明細書等に記載されているのと同然であると理解できる。
　したがって、上記訂正事項３−１は、本件特許明細書等に記載した事項の範囲内の訂正であり、特許法第１２０条の５第９項の規定によって準用する第１２６条第５項に適合するものである。
（ウ）実質上特許請求の範囲を拡張し、又は変更する訂正ではないこと
　上記訂正事項３−１は、上記（ア）に示したとおり、訂正前の請求項１を減縮するものであるから、実質上特許請求の範囲を拡張し、又は変更するものではなく、特許法第１２０条の５第９項の規定によって準用する第１２６条第６項に適合するものである。
イ　訂正事項３−２について
（ア）訂正の目的について
　上記訂正事項３−２は、訂正前の請求項１の「積層剥離容器」について、「前記外殻には、前記内袋と前記外殻の間の中間空間に外気を導入する外気導入孔が設けられ、」と限定するものであるから、特許法第１２０条の５第２項ただし書第１号に掲げる特許請求の範囲の減縮に該当するものである。
（イ）本件特許明細書等に記載した事項の範囲内の訂正であること
　上記訂正事項３−２は、本件特許明細書等の【００２０】の記載に基づくものであるから、上記訂正事項３−２は、本件特許明細書等に記載した事項の範囲内の訂正であり、特許法第１２０条の５第９項の規定によって準用する第１２６条第５項に適合するものである。
（ウ）実質上特許請求の範囲を拡張し、又は変更する訂正ではないこと
　上記訂正事項３−２は、上記（ア）に示したとおり、訂正前の請求項１を減縮するものであるから、実質上特許請求の範囲を拡張し、又は変更するものではなく、特許法第１２０条の５第９項の規定によって準用する第１２６条第６項に適合するものである。
ウ　訂正事項３−３について
（ア）訂正の目的について
　上記訂正事項３−３は、訂正前の請求項１の「積層剥離容器」について、「前記容器本体は、前記内容物を収容する収容部と、前記収容部から内容物を吐出する口部を備え、」と限定するものであるから、特許法第１２０条の５第２項ただし書第１号に掲げる特許請求の範囲の減縮に該当するものである。
（イ）本件特許明細書等に記載した事項の範囲内の訂正であること
　上記訂正事項３−３は、本件特許明細書等の【００１２】の記載に基づくものであるから、上記訂正事項３−３は、本件特許明細書等に記載した事項の範囲内の訂正であり、特許法第１２０条の５第９項の規定によって準用する第１２６条第５項に適合するものである。
（ウ）実質上特許請求の範囲を拡張し、又は変更する訂正ではないこと
　上記訂正事項３−３は、上記（ア）に示したとおり、訂正前の請求項１を減縮するものであるから、実質上特許請求の範囲を拡張し、又は変更するものではなく、特許法第１２０条の５第９項の規定によって準用する第１２６条第６項に適合するものである。
エ　訂正事項３−４について
（ア）訂正の目的について
　上記訂正事項３−４は、訂正前の請求項１の「積層剥離容器」について、「前記容器本体は、ブロー成形体であり、前記容器本体の底面には、前記底面から突出する底シール突出部が設けられ、前記底シール突出部は、前記外層と前記内層に対応する積層構造を有する積層パリソンを用いたブロー成形における前記積層パリソンのシール部であり、」と限定するものであるから、特許法第１２０条の５第２項ただし書第１号に掲げる特許請求の範囲の減縮に該当するものである。
（イ）本件特許明細書等に記載した事項の範囲内の訂正であること
　上記訂正事項３−４は、本件特許明細書等の【００２５】及び【００３９】の記載に基づくものであるから、上記訂正事項３−４は、本件特許明細書等に記載した事項の範囲内の訂正であり、特許法第１２０条の５第９項の規定によって準用する第１２６条第５項に適合するものである。
（ウ）実質上特許請求の範囲を拡張し、又は変更する訂正ではないこと
　上記訂正事項３−４は、上記（ア）に示したとおり、訂正前の請求項１を減縮するものであるから、実質上特許請求の範囲を拡張し、又は変更するものではなく、特許法第１２０条の５第９項の規定によって準用する第１２６条第６項に適合するものである。
オ　訂正事項３−５について
（ア）訂正の目的について
　上記訂正事項３−５は、訂正前の請求項１の「積層剥離容器」について、「前記内容物は、醤油であり、」と限定するものであるから、特許法第１２０条の５第２項ただし書第１号に掲げる特許請求の範囲の減縮に該当するものである。
（イ）本件特許明細書等に記載した事項の範囲内の訂正であること
　上記訂正事項３−５は、本件特許明細書等の【図１０】（ｇ）の記載に基づくものであるから、上記訂正事項３−５は、本件特許明細書等に記載した事項の範囲内の訂正であり、特許法第１２０条の５第９項の規定によって準用する第１２６条第５項に適合するものである。
（ウ）実質上特許請求の範囲を拡張し、又は変更する訂正ではないこと
　上記訂正事項３−５は、上記（ア）に示したとおり、訂正前の請求項１を減縮するものであるから、実質上特許請求の範囲を拡張し、又は変更するものではなく、特許法第１２０条の５第９項の規定によって準用する第１２６条第６項に適合するものである。
カ　訂正事項３−６について
（ア）訂正の目的について
　上記訂正事項３−６は、訂正前の請求項１の「積層剥離容器」について、「前記キャップは、前記口部に装着され、且つ逆止弁を有し、前記逆止弁は、前記内容物の吐出を許容し、且つ前記内袋内への外気の取り込みを制限するように構成され、前記外殻に圧縮力を加えることによって前記内容物が吐出されるように構成され」と限定するものであるから、特許法第１２０条の５第２項ただし書第１号に掲げる特許請求の範囲の減縮に該当するものである。
（イ）本件特許明細書等に記載した事項の範囲内の訂正であること
　上記訂正事項３−６は、本件特許明細書等の【００１４】、【００４６】及び【００４７】の記載に基づくものであるから、上記訂正事項３−６は、本件特許明細書等に記載した事項の範囲内の訂正であり、特許法第１２０条の５第９項の規定によって準用する第１２６条第５項に適合するものである。
（ウ）実質上特許請求の範囲を拡張し、又は変更する訂正ではないこと
　上記訂正事項３−６は、上記（ア）に示したとおり、訂正前の請求項１を減縮するものであるから、実質上特許請求の範囲を拡張し、又は変更するものではなく、特許法第１２０条の５第９項の規定によって準用する第１２６条第６項に適合するものである。
（４）訂正事項４について
ア　訂正の目的について
　上記訂正事項４は、訂正前の請求項２の「積層剥離容器」について、「前記底シール突出部は、折り曲げられている、」と限定するものであるから、特許法第１２０条の５第２項ただし書第１号に掲げる特許請求の範囲の減縮に該当するものである。
イ　本件特許明細書等に記載した事項の範囲内の訂正であること
　上記訂正事項４は、本件特許明細書等の【００２６】及び【図６】の記載に基づくものであるから、上記訂正事項４は、本件特許明細書等に記載した事項の範囲内の訂正であり、特許法第１２０条の５第９項の規定によって準用する第１２６条第５項に適合するものである。
ウ　実質上特許請求の範囲を拡張し、又は変更する訂正ではないこと
　上記訂正事項４は、上記アに示したとおり、訂正前の請求項１を減縮するものであるから、実質上特許請求の範囲を拡張し、又は変更するものではなく、特許法第１２０条の５第９項の規定によって準用する第１２６条第６項に適合するものである。
（５）訂正事項５について
ア　訂正の目的について
　上記訂正事項５は、訂正前の請求項３の「積層剥離容器」について、「前記底シール突出部において、前記内層が前記外層によって挟まれている、」と限定するものであるから、特許法第１２０条の５第２項ただし書第１号に掲げる特許請求の範囲の減縮に該当するものである。
イ　本件特許明細書等に記載した事項の範囲内の訂正であること
　上記訂正事項５は、本件特許明細書等の【００２６】及び【図６】の記載に基づくものであるから、上記訂正事項５は、本件特許明細書等に記載した事項の範囲内の訂正であり、特許法第１２０条の５第９項の規定によって準用する第１２６条第５項に適合するものである。
ウ　実質上特許請求の範囲を拡張し、又は変更する訂正ではないこと
　上記訂正事項５は、上記アに示したとおり、訂正前の請求項１を減縮するものであるから、実質上特許請求の範囲を拡張し、又は変更するものではなく、特許法第１２０条の５第９項の規定によって準用する第１２６条第６項に適合するものである。
（６）訂正事項６について
ア　訂正の目的について
　上記訂正事項６は、訂正前の請求項４の「積層剥離容器」について、「前記外気導入孔を通じた空気の出入りを調整する弁部材が前記外気導入孔に装着されている、」と限定するものであるから、特許法第１２０条の５第２項ただし書第１号に掲げる特許請求の範囲の減縮に該当するものである。
イ　本件特許明細書等に記載した事項の範囲内の訂正であること
　上記訂正事項６は、本件特許明細書等の【００２０】及び【００２３】の記載に基づくものであるから、上記訂正事項６は、本件特許明細書等に記載した事項の範囲内の訂正であり、特許法第１２０条の５第９項の規定によって準用する第１２６条第５項に適合するものである。
ウ　実質上特許請求の範囲を拡張し、又は変更する訂正ではないこと
　上記訂正事項６は、上記アに示したとおり、訂正前の請求項１を減縮するものであるから、実質上特許請求の範囲を拡張し、又は変更するものではなく、特許法第１２０条の５第９項の規定によって準用する第１２６条第６項に適合するものである。
（７）訂正事項７について
ア　訂正の目的について
　上記訂正事項７は、訂正前の請求項４が請求項２又は請求項３を引用していたものを、請求項２の引用を解消し、請求項３のみを引用するものであるから、特許法第１２０条の５第２項ただし書第４号に掲げる他の請求項の記載を引用する請求項の記載を当該他の請求項の記載を引用しないものとすることと、特許法第１２０条の５第２項ただし書第１号に掲げる特許請求の範囲の減縮に該当するものである。
イ　本件特許明細書等に記載した事項の範囲内の訂正であること
　上記訂正事項７は、上記アに示したとおり、訂正前の請求項４が請求項２又は請求項３を引用していたものを、請求項２の引用を解消し、請求項３のみを引用するものであるから、上記訂正事項７は、本件特許明細書等に記載した事項の範囲内の訂正であり、特許法第１２０条の５第９項の規定によって準用する第１２６条第５項に適合するものである。
ウ　実質上特許請求の範囲を拡張し、又は変更する訂正ではないこと
　上記訂正事項７は、上記アに示したとおり、他の請求項の記載を引用する請求項の記載を当該他の請求項の記載を引用しないものとし、訂正前の請求項４を減縮するものであるから、実質上特許請求の範囲を拡張し、又は変更するものではなく、特許法第１２０条の５第９項の規定によって準用する第１２６条第６項に適合するものである。
４．小括
　以上のとおりであるから、本件訂正は、特許法第１２０条の５第２項ただし書第１号及び第４号に掲げる事項を目的とするものであり、かつ、同条第９項で準用する同法第１２６条第５項及び第６項の規定に適合する。
　したがって、特許請求の範囲を訂正請求書に添付された訂正特許請求の範囲のとおり、本件訂正後の請求項〔１〜４〕について訂正することを認める。
第３　取消理由の概要
　第２のとおり本件訂正が認められたことから、本件特許の請求項１〜４に係る発明（以下「本件発明１〜４」という。）は、訂正特許請求の範囲の請求項１〜４に記載された事項により特定される、次のとおりのものである。
「【請求項１】
容器本体と、キャップを備える積層剥離容器であって、
前記容器本体は、外層と内層とを備え、前記外層によって外殻が構成され、前記内層によって内袋が構成され、内容物の減少に伴って前記内層が前記外層から剥離して前記内袋が収縮するように構成され、
外層は、プロピレンとエチレンとの間のランダム共重合体からなるプロピレン共重合体層を備え、
前記内層は、最外層として、ＥＶＯＨ樹脂からなるＥＶＯＨ層を備え、
前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であり、
前記外殻には、前記内袋と前記外殻の間の中間空間に外気を導入する外気導入孔が設けられ、
前記容器本体は、前記内容物を収容する収容部と、前記収容部から内容物を吐出する口部を備え、
前記容器本体は、ブロー成形体であり、
前記容器本体の底面には、前記底面から突出する底シール突出部が設けられ、
前記底シール突出部は、前記外層と前記内層に対応する積層構造を有する積層パリソンを用いたブロー成形における前記積層パリソンのシール部であり、
前記内容物は、醤油であり、
前記キャップは、前記口部に装着され、且つ逆止弁を有し、
前記逆止弁は、前記内容物の吐出を許容し、且つ前記内袋内への外気の取り込みを制限するように構成され、
前記外殻に圧縮力を加えることによって前記内容物が吐出されるように構成される、積層剥離容器。
【請求項２】
前記ＥＶＯＨ樹脂の融点は、前記ランダム共重合体よりも高く、
前記底シール突出部は、折り曲げられている、請求項１に記載の積層剥離容器。
【請求項３】
前記ＥＶＯＨ樹脂の融点は、前記ランダム共重合体の融点よりも１５℃以上高く、
前記底シール突出部において、前記内層が前記外層によって挟まれている、請求項２に記載の積層剥離容器。
【請求項４】
前記内層は、前記ＥＶＯＨ層よりも容器内面側に接着層を介してポリエチレン層を備え、
前記外気導入孔を通じた空気の出入りを調整する弁部材が前記外気導入孔に装着されている、請求項３に記載の積層剥離容器。」
第４　当審の判断
１．取消理由（決定の予告）の概要
　本件発明１〜４に対して、当審が令和２年７月２１日付けで特許権者に通知した取消理由（決定の予告）の要旨は、次のとおりである。
（１）理由１（特許法第３６条第６項第１号：サポート要件）
　本件特許は、特許請求の範囲の記載が、特許法第３６条第６項第１号に規定する要件を満たしていない。
ア　ランダム共重合体に関して、「特定構成」以外の「ランダム共重合体」についてまで、本件発明の課題を解決できると当業者が理解するような記載は発明の詳細な説明には見当たらず、また、「特定構成」の「ランダム共重合体」だとしても、当該「特定構成」によりなぜ形状復元性等に優れたものになるのかの機序については発明の詳細な説明に記載されていないから、本件発明１〜４は、本件発明の課題を解決できないものを含んでいることは明らかであり、発明の詳細な説明に記載した範囲を超えるものである。
イ　外層の層構成に関して、「外層」の「プロピレンと別のモノマーとの間のランダム共重合体からなるプロピレン共重合体層」以外の層構成が特定されていない本件発明１〜４は、本件発明の課題を解決できないものを含んでいるから、発明の詳細な説明に記載した範囲を超えるものである。
ウ　外層と内層の剥離に関して、本件発明１〜４は「外層」と「内層」が剥離できないものを含むものであって、本件発明の課題を解決するための前提を欠くものであるから、発明の詳細な説明に記載した範囲を超えるものである。
（２）理由２（特許法第２９条第２項：進歩性）
　請求項１〜４に係る発明は、引用文献１に記載された発明又は引用文献２に記載された発明、及び周知の事項に基いて、当業者が容易に発明をすることができたものである。
［引用文献等一覧］
１．特開平６−２３９３３２号公報（申立人１が提出した甲第３号証）
２．特開２００２−１８７２９４号公報（申立人１が提出した甲第６号証）
３．葛良忠彦、講座「プラスチック包装容器」（第Ｉ講）プラスチック包装容器の分類と使用材料、色材協会誌、８０巻１号ｐ３２−３９、２００７年（申立人１が提出した甲第７号証、申立人２が提出した甲第２−２号証）
４．特開２０１３−５３１８３号公報（申立人１が提出した甲第１０号証）
５．特許第２６９１４９４号公報（申立人１が提出した甲第１１号証）
６．特開２０１２−１４８８１０号公報（申立人１が提出した甲第１２号証）
７．旭化成アミダス株式会社、「プラスチック・データブック」、１９９９年１２月１日、ｐ．３６４、３６５、５０２、５０３（申立人２が提出した甲第３号証）
８．特開平６−３４５０６９号公報（申立人１が提出した甲第１７号証）
９．葛良忠彦、講座「プラスチック包装容器」（第ＩＩ講）プラスチック包装容器の構成と製造方法、色材協会誌、８０巻２号、２００７年、ｐ．８０〜８９（申立人１が提出した甲第１８号証）
１０．特公平４−７３６９５号公報（申立人１が提出した甲第１９号証）
１１．特表２００８−５１８０７６号公報（申立人１が提出した甲第２０号証）
１２．特開２００４−１９６３５７号公報（申立人２が提出した甲第１−１号証）
２．令和２年７月２１日付け取消理由（決定の予告）についての判断
（１）理由１（特許法第３６条第６項第１号：サポート要件）について
ア　本件発明の課題について
　本件特許の発明の詳細な説明には、「外殻の形状復元性・透明性・耐熱性に優れた積層剥離容器を提供する」（【０００６】）ことが、発明が解決しようとする課題として記載されている。
イ　「ランダム共重合体」及び「外層の層構成」について
（ア）上記アに示した課題について、「ランダム共重合体」及び「外層の層構成」に関して、本件特許明細書等には、「プロピレンと別のモノマーとの間のランダム共重合体からなるプロピレン共重合体層で外殻を構成したところ、外殻の形状復元性・透明性・耐熱性を向上させることができることを発見し、本発明の完成に到った。」（【０００８】）ことが記載されている。
（イ）この点、発明の詳細な説明の記載を確認すると、「外層１１を
特定構成
ランダム共重合体で構成
外殻１２の形状復元性・透明性・耐熱性を向上させることができる
（ウ）そこで、「ランダム共重合体」の「特定構成」について発明の詳細な説明の記載を確認すると、「ランダム共重合体は、プロピレン以外のモノマーの含有量が、５０ｍｏｌ％よりも小さいものであり、５〜３５ｍｏｌ％が好ましい。・・・プロピレンと共重合されるモノマーとしては、ポリプロピレンのホモポリマーに比べた場合のランダム共重合体の耐衝撃性を向上させるものであればよく、エチレンが特に好ましい。」（【００３２】）とあり、「ランダム共重合体」の「特定構成」として「プロピレンとエチレンのランダム共重合体」が記載されている。
（エ）本件発明１において、「外層は、プロピレンとエチレンとの間のランダム共重合体からなるプロピレン共重合体層を備え」と特定されていることから、「ランダム共重合体」は「特定構成」である「プロピレンとエチレンのランダム共重合体」であること、及び「外層」が「特定構成」である「プロピレンとエチレンのランダム共重合体を備え」ている、すなわち、「特定構成」である「プロピレンとエチレンのランダム共重合体」で構成されていることが特定されている。そうすると、本件発明１が、上記アに示した課題を解決することが理解できる。
　同様に、本件発明２〜４についても、上記アに示した課題を解決することが理解できる。
ウ　「外層と内層の剥離」について
（ア）本件特許明細書等の発明の詳細な説明には、「内容物の減少に伴って前記内層が前記外層から剥離し収縮する積層剥離容器」（【０００７】）であることが記載されており、また、「外層１１」を構成する材料として、「低密度ポリエチレン、直鎖状低密度ポリエチレン、高密度ポリエチレン、ポリプロピレン、エチレン−プロピレン共重合体及びその混合物」（【００３０】）が挙げられ、【００３４】には、「内層１３」の「容器外面側」に「ＥＶＯＨ層１３ａ」が設けられていることが記載されている。
（イ）そうすると、「前記内層は、最外層として、ＥＶＯＨ樹脂からなるＥＶＯＨ層を備え」、「外層の最内層」が、「前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層」である本件発明１は、発明の詳細な説明に記載されたものであるといえる。
（ウ）そうすると、本件発明１〜４の容器は、発明の詳細な説明に記載した範囲を超えるものとはいえない。
エ　取消理由１（サポート要件）についてのまとめ
　したがって、本件発明１〜４は、発明の詳細な説明に記載したものである。
（２）理由２（特許法第２９条第２項：進歩性）について
ア　引用文献の記載事項
（ア）引用文献１（申立人１が提出した甲第３号証）
　引用文献１には、図面とともに次の事項が記載されている。
「【００１１】
【課題を解決するための手段】本発明に係る容器は、熱可塑性樹脂の管状パリソンのブロー成形によって形成された多層壁より成り、且つ内外層間が易剥離とされ、その易剥離された層間に頭部の層間通気孔から内容物の使用分について外部からの通気が行われ、
容器の外観は外層の弾力性に依存して常に保持、復元され、外層容器内では内層容器が内容物の使用分に伴って容器中心線に添って収縮する
「【００１４】本発明の容器壁は内外層に区分され、成形時及び充填時には密着しており内容物使用時には分離するものであって、その内層は、主として機能性膜、即ち優れた耐湿性、耐水性、ガス遮断性、耐薬品性、耐有機溶剤性、風味保存性等をもつ単層もしくは多層膜にて構成され、容器内容物質の減少に追随して撓む層厚を持ち、その機能性は容器内容物の諸要求性能に応じた樹脂機能の組合わせをもって採用される。又、外層は容器形態を保持し、製造、充填、輸送、消費等の各段階に対応するに必要な強度と、内層並びに容器内容物質に対する間接的な保護機能を有する層厚とし、印刷等の商品性向上のための多層化はその強度並びに機能の範囲以内において設計される。」
「【００２１】
【実施例】次に、本発明に係る容器の実施例を図面に基づいて詳しく説明する。第１図及び第２図は本発明の多層成形容器の１実施例を示す中央縦断側面図、第３図及び第５図は本発明の多層成形容器の１実施例を示す頭部の部分拡大正面図、第４図及び第６図はそれぞれの頭部拡大横断面図である。
第７図及び第８図は本発明の注出口部分に設けた嵌装蓋部の１実施例を示す部分拡大断面図である
符号１１は共押出による管状パリソンのブロー成形によって形成された多層壁容器であり、符号５は注出口である
符号１で示す外層は
ポリプロピレンより成り
符号２で示す内層は
低密度ポリエチレンに
エチレン・ビニルアルコール共重合樹脂を挟合接着することにより多層化された機能性膜より成る
【００２２】第１図並びに第２図において、符号６及び７は口部フランジであり、その内層延部の平面部には符号３ａの固定リングの平面部が凹部には符号３ｂの固定リング下方突部が接着されている。該固定リング上方の符号３ｃの凸部は符号１５の弁体と連結する符号１６の弁体支持部の凹部と嵌合され弁体支持部を捩ることにより固定リングが回動することになる。回動することにより符号８の通気孔が現出する、と同時に容器頭部の内層は容器肩部にかけて明確に外層との剥離を開始することになる。
【００２３】第３図並びに第４図、第５図並びに第６図において、符号７ａは内外層共有の突部、さらに符号７ｂは前記突部に連続するフランジ下方の、同じく内外層共有の突部である。この連続する突部は、口部フランジの内層延部に接合された固定リングの回動に伴い、頭部内層が全面にわたり外層と剥離しつつ回動し、この時点で各共有突部は固有突部に転じ外層の突部は内層の外表面と囲驍せられた、符号８で示す通気孔及び通気管を生成することになる。一方移動した内層の突端の両側にも空間が生じ補助通気孔となる。内層延部の突部は、その接合する固定リングの回動とともに外層フランジ上に該突部の突端と接し突部の縦方向経分の内外層を上下に分離する。さらに内層は回動の進行とともに首部から胴部上端にかけて、頭部の捩りによる斜め上方への引力を受け内外層は明確に剥離し、生じた内外層の凹凸間には現出した通気孔から通気され容器外形には何ら影響を与えずに易剥離が開始される。この易剥離を契機として以後内容物質の使用のつど易剥離が繰り返され容器底部の第１図の符号１０ａ，１０ｂに示す繋合部に達して終了する。
【００２４】
第７図及び第８図は嵌装蓋部を装着した一実施例であり
符号１は外層であり符号２は内層を示す
第８図においては固定リングの回動により固定リングの平面部が外層の突部上にあり前記のリング突部並びに内層厚の縦経分の符号８の空間が生成したことを示す
符号２５は吸気遮断弁であり
【００２５】更に、図示しないが容器の頭部において、上下端部を整列させた間欠雄螺子を形成し、該雄螺子間に口部から頭部下端に連通する雄螺子より低径の突部を設けることにより雌螺子を持つ蓋部を嵌合することができる。又、容器内容物によっては開封開栓時に通気孔の開閉が実行されることにより簡便性が向上する。開封開栓時に通気孔を開閉するため符号３ａ又は３ｂの外側方並びに嵌合蓋部内側方にそれぞれ設けた突部が当接することにより、蓋部の着脱又は開閉栓時に固定リングが連動して回動することになる。層間通気孔が開封開栓及び／又は閉封閉栓動作と同時に開閉可能とすることにより、容器口部周辺に対する手指その他による直接的な接触が避けられ簡便性と共に衛生性が格段に向上することになる。
【００２６】符号２の内層は、容器口部においては固定リングの符号３ａ並びに３ｂの底面に接着又は接合せられ、容器底部においては第１図の符号１０ａ及び１０ｂに示すように、型締時におけるパリソンの溶断によって生ずるウエルド部の両端が内外層共に鋭く食込み合うことにより繋合せられる。口部と底部でこれらの固定が行われることにより、符号２の
内層は符号１の外層容器内で
容器内容器として機能する
【００２７】又、図示しないが他の実施例として、例えばチューブ状容器にあっては、その通気孔形成のための内外層構成を、本実施例の方法の他に、内層及び外層を別途に同形状にブロー成形した後内層延部の柔軟性を利用して挿入合体するか、外層の胴部を円筒状に成形及び／又は内層の胴部を円筒状に成形し各々の端部を射出成形金型内に挿入し、射出成形して頭部を融着形成し合体せしむる方法をとることができる。上記のいずれの方法においても頭部の内層の回動が可能であり、通気孔の開閉又は閉開の手順を容器収容物質の性状と
要求されるスクイーズ性能に応じて採ることができる
【００２８】更に又、紙パック状の容器においては、容器の内層とキャップ内層の融着による口部形成をする場合、内層キャップとそれに嵌合する外層キャップの外層接合部間に容器内にて間隙を設け、該間隙間に内外層間通気孔を開口する。内層キャップ内を注出部と層間通気部に分割し、キャップの側面に通気孔を開孔し、同じく外層キャップ側面の開孔部とが内層の回動により連通して層間通気が行われる。また、吸気防止弁体を容器口部内に嵌装又は接着することにより外気の流入は遮断されることになる。
【００２９】上述の如く、容器の種類によって、その内外層の形成法は異なるものの本発明の意図する目的においては共通している。即ち、本発明の容器においては、第１図に示す如く、
符号２の内層に充填された内容物質を取り出す際に
符号８の層間通気孔が開通することになり
内容物質の取出し体積相当分の外気が充填物質に触れることなく内外層間に補填されることになる
容器の充填物の粘度状況が使用後に吸気を伴う場合にはおいては、口部の注出口に符号１５に示す吸気遮断弁を設けることにより充填物は外気接触から保護されることになる
「【図１】
 
」
「【図７】
 
」
「【図８】
 
」
　引用文献１の上記記載事項から、引用文献１には次の発明（以下「引用発明１」という。）が記載されていると認められる。
「容器本体１１と、蓋部を備える多層容器であって、
容器本体１１は、外層１と内層２とを備え、外層１によって外層容器が構成され、内層２によって内装容器が構成され、内容物の使用分に伴って内外層間が易剥離とされ、内装容器が収縮し、
外層１は、ポリプロピレンより成り、
内層２は、低密度ポリエチレンにエチレン・ビニルアルコール共重合樹脂を挟合接着することにより多層化された機能性膜より成り、
固定リング３ａの回動により固定リング３ａ平面部が外層１の突部上にありリング凸部並びに内層厚の縦経分の通気孔８が開通し、外気が内外層間に補填され、
内層２に内容物質が充填され、容器内容物質が口部から注出され、
容器本体１１は、共押出による管状パリソンのブロー成形によって形成され、
蓋部は注出口部分５に設けられ、弁体２５を有し、
使用後に、弁体２５により充填物は外気接触から保護され、
スクイーズ性能を有する、多層容器。」
（イ）引用文献２（申立人１が提出した甲第６号証）
　引用文献２には、図面とともに次の事項が記載されている。
「【０００１】
【発明の属する技術分野】本発明は、
液体を収納する容器
に関し、特に多層のブロー成形によって形成され
【０００２】
【従来の技術】近年、液体収納容器として、多層のブロー成形によって形成された容器が多方面にわたって使用されている。
ブロー成形は、熱可塑性樹脂をチューブ状のパリソンとして押し出し、パリソンをその側方から金型で挟み、袋状となったパリソン内に空気を吹き込んでパリソンを膨らませ、金型の内壁に密着させて製品を得る方法である
【０００３】
ブロー成形によって容器を形成する場合
熱可塑性樹脂同士の溶着部が形成される
「【００２７】内袋（内壁）１２は可撓性を有し、かつ、筐体（外壁）１１と剥離可能である。したがって、内袋１２の内側であるインク収納部に収納されたインクの導出に伴い、筐体１１が変形することなく内袋１２のみが変形することが可能である。・・・」
「【００５５】（第２の実施形態）図６は、本発明の第２の実施形態による液体収納容器の概略斜視図である。また、図７は、図６に示す液体収容容器のピンチオフ部を横断する方向で切断したピンチオフ部についての要部断面図である。
【００５６】本実施形態の
液体収納容器５０は
筐体と筐体に対して分離可能な内袋とを有している
ポンプ部材５１が、口部５３に設けられている
外気連通口５４は液体収納容器５０の口部５３に任意の加工手段で穿孔されている
【００５７】このピンチオフ部５８の近傍の構造について，更に図７を用いて詳細に説明する。
【００５８】本実施形態でも，前述の第１の実施形態と同様、空隙部５７は、筐体６２の凸部６１と、内袋５９の凸部６０との間に形成されている。本実施形態では、前述の第１の実施形態とは異なり、
内袋５９の構成が、接着性樹脂を添加したポリプロピレンなどの内層５９ａと、ＥＶＯＨなどのバリア層５９ｂとの積層になっている
【００５９】また、本実施形態の筐体６２はポリプロピレンで形成されているが，その底面５６については、液体収納容器５０の外周部が載置面５６ｂを形成しているのに対して、その内側の領域５６ａは相対的に内袋５９側に突出している。そして、載置面５６ｂとその内側の領域５６ａとで形成される凹部内に、ピンチオフ部５８が、外部に対して突出するように設けられ，それに対応する筐体６２の外壁外面が突起５６ｃを形成している。このような容器であっても、上述の空隙部５７を設けることで，外部から衝撃が加わった際にピンチオフ部５８を保護することが出来る。
【００６０】このような液体収納容器は、シャンプーやリンスなどのほか、マヨネーズやケチャップなどの粘性食品、シェービングクリームなどの発泡状の粘性化粧品、液体洗剤、ゼリー状の洗顔化粧品等を収容する容器としても好適に利用できる。また、それらの内容物に応じて、本実施形態に示されるようなポンプを用いてもよいし、単なる開口としてもよい。」
「【図６】
 
」
「【図７】
 
」
　引用文献２の図６を参照すると、液体収納容器５０とポンプ部材５１により容器をなしていることが理解できる。
　引用文献２の【０００２】、【０００３】、図７を参照すると、突出部５６ｃは、筐体６２と内袋５９に対応する積層構造を有する多層のパリソンを用いたブロー成形におけるパリソンの溶着部であることが理解できる。
　引用文献２の上記記載事項及び認定事項から、引用文献２には次の発明（以下「引用発明２」という。）が記載されていると認められる。
「液体収納容器５０とポンプ部材５１により容器をなし、
液体収納容器５０は、筐体６２と内袋５９を有し、内袋６２に収納された内容物の導出に伴い、筐体１１が変形することなく内袋１２のみが変形し、
筐体６２はポリプロプレンで形成されて、
内袋５９の構成が、ポリプロピレンなどの内層５９ａと、ＥＶＯＨなどのバリア層５９ｂとの積層になっており、
液体収納容器５０の口部５３に外気連通口５４が穿孔されており、
液体収納容器５０は、口部５３を備え、
液体収納容器５０、多層のブロー成形によって形成され、
筐体６２の底面が突起５６ｃを形成しており、
突出部５６ｃは、筐体６２と内袋５９に対応する積層構造を有する多層のパリソンを用いたブロー成形におけるパリソンの溶着部であり、
ポンプ部材５１は、口部５３に設けられている、容器。」
（ウ）引用文献３（申立人１が提出した甲第７号証、申立人２が提出した甲第２−２号証）
　引用文献３には、次の事項が記載されている。
「ＰＰはブロー成形材料としても使用されている。
　ブロー成形用のＰＰの種類としては，用途に応じてＰＰホモポリマー，ランダム共重合体，ブロック共重合体いずれも使用されている。・・・エチレンを１〜６ｗｔ％ランダム共重合させたコポリマーは，ホモポリマーに比べて透明性，光沢，低温耐衝撃強度が改良される。・・・
　ＰＰブロー成形品の用途としては，洗剤，トイレタリー製品，化粧品などの非食品用ボトル，医療用輸液ボトル，あるいは食品用としてエチレンビニルアルコール共重合体（ＥＶＯＨ）との多層ボトルなどがある。」（３５ページ左欄９〜２０行）
（エ）引用文献４（申立人１が提出した甲第１０号証）
　引用文献４には、次の事項が記載されている。
「【０００３】
　プロピレン系重合体には、単独重合体、ランダム共重合体、ブロック共重合体があるが、・・・透明性や耐衝撃性の点ではエチレン、ブテン−１等とプロピレンとのランダム共重合体が、・・・好適であり、状況に応じて適宜選択的に用いられている。」
「【００６１】
　このようにして得られた成形品は、透明性、耐衝撃性、低べたつき性を求められる多くの用途に適用可能である。
具体的には、食品容器（プリン容器、ゼリー容器、ヨーグルト容器、その他のデザート容器、惣菜容器、茶碗蒸し容器、インスタントラーメン容器、米飯容器、レトルト容器、弁当容器等）、飲料容器（飲料ボトル、チルドコーヒー容器、ワンハンドカップ容器、その他の飲料容器等）、キャップ（ペットボトルキャップ、１ピースキャップ、２ピースキャップ、インスタントコーヒーのキャップ、調味料キャップ、化粧品容器キャップ等）、医薬品容器（輸液バッグ、血液バッグ、プレフィルドシリンジ、キット製剤、目薬容器、薬液容器、薬剤容器、液体の長期保存容器、プレススルーパッケージ、ストリップパッケージ、分包、プラスチックバイアル等）、その他各種容器（インク容器、化粧品容器、シャンプー容器、洗剤容器等）、医療用器具（ディスポーザブルシリンジおよびその部品、カテーテル・チューブ、真空採血管、手術用不織布、血液用フィルター、血液回路などのディスポーザブル器具、人工肺、人工肛門などの人工臓器類の部品、ダイアライザー、試験管、検査キット、縫合糸、湿布基材、歯科用材料の部品、整形外科用材料の部品、コンタクトレンズのケース等）、日用品（衣装ケース、バケツ、洗面器、バス・トイレタリー用品、筆記用具、文房具、コンテナ、玩具、調理器具、その他各種ケース等）、自動車部品（インパネ、バンパー、トリム、内装部品、灯体等）、電気・電子部品（各種電気機器の部材・筐体、半導体搬送容器、光学部品、各種情報メディアケース、太陽電池封止材等）、建材、産業資材品、理化学機器、延伸フィルム、未延伸フィルム、シート、繊維などが挙げられる。」
（オ）引用文献５（申立人１が提出した甲第１１号証）
　引用文献５には、次の事項が記載されている。
「【０００９】ＰＰ系樹脂の好ましい例は、ＰＰホモポリマーであり、さらにプロピレンとエチレンとの共重合体であって、エチレンの含有量が１〜３０重量％、好ましくは１〜１５重量％の樹脂であり、さらに好ましくはエチレン含有量が１〜７重量％であるプロピレンとエチレンとのランダム共重合体を例示することができる。本発明のポイントである耐寒性改善は、特に、最外層に使用される樹脂を適宜選ぶことで達成される。即ち、最外層の樹脂の構成として、ポリプロピレン（ＰＰ）系樹脂に、直鎖状超低密度ポリエチレン（ＶＬＤＰＥ）樹脂を所定の範囲で適量添加することで達成される。その好ましい添加量は、ポリプロピレン系樹脂１００重量部に対し、５〜４０重量部である。その添加量が４０重量部を越えると、ボトルの光沢、透明性が損なわれる。また、５重量部以下では、その耐寒性改善の効果が充分発揮できない。」
（カ）引用文献６（申立人１が提出した甲第１２号証）
　引用文献６には、次の事項が記載されている。
「【００１２】
　混合樹脂組成物中の主成分であるプロピレン系重合体は、ポリプロピレン、プロピレン−α・オレフィン共重合体を挙げることができ、さらに詳しくはプロピレン−エチレンブロック共重合体、プロピレン−エチレンランダム共重合体を挙げることができるが、この中でもプロピレン−エチレンランダム共重合体が透明性の点で好ましく、エチレン成分が２〜１５ｍｏｌ％のＭＦＲが１．０ｇ／１０ｍｉｎ以上、特に外層に使用する場合は光沢性の点でエチレン成分が４ｍｏｌ％以上、ＭＦＲが３．０ｇ／１０ｍｉｎ以上のプロピレン−エチレンランダム共重合体（ｒ−ＰＰ）が好ましい。」
イ　本件発明１について
（ア）引用文献１に基づく取消理由について
ａ　対比
　本件発明１と引用発明１とを対比する。 
　引用発明１の「容器本体１１」は本件発明１の「容器本体」に相当し、以下同様に、「蓋部」は「キャップ」に、「多層容器」は「積層剥離容器」に、「外層１」は「外層」に、「内層２」は「内層」に、「外層容器」は「外殻」に、「内層容器」は「内袋」に、それぞれ相当する。
　引用発明１において「多層容器」が、「内容物の減少に伴って前記内層が前記外層から剥離して前記内袋が収縮するように構成され」、「スクイーズ性能を有する」ことは、本件発明１において「積層剥離容器」が、「内容物の減少に伴って前記内層が前記外層から剥離して前記内袋が収縮するように構成され」、「前記外殻に圧縮力を加えることによって前記内容物が吐出されるように構成される」ことに相当する。
　引用文献１の図１を参照すると、引用発明１において、「容器本体１１」は「内層２に内容物質が充填され、容器内容物質が口部から注出され」るように構成されることは、本件発明１において、「前記容器本体は、前記内容物を収容する収容部と、前記収容部から内容物を吐出する口部を備え」ることに相当する。
　引用発明１において、「容器本体１１は、共押出による管状パリソンのブロー成形によって形成され」ることは、本件発明１において、「前記容器本体は、ブロー成形体であ」ることに相当する。
　以上のことから、本件発明１と引用発明１との一致点及び相違点は、次のとおりである。
＜一致点＞
「容器本体と、キャップを備える積層剥離容器であって、
前記容器本体は、外層と内層とを備え、前記外層によって外殻が構成され、前記内層によって内袋が構成され、内容物の減少に伴って前記内層が前記外層から剥離して前記内袋が収縮するように構成され、
前記容器本体は、前記内容物を収容する収容部と、前記収容部から内容物を吐出する口部を備え、
前記容器本体は、ブロー成形体であり、
前記外殻に圧縮力を加えることによって前記内容物が吐出されるように構成される、積層剥離容器。」
＜相違点１−１＞
　本件発明１は、「外層は、プロピレンとエチレンとの間のランダム共重合体からなるプロピレン共重合体層を備え」、「前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であ」るのに対して、引用発明１は、「外層１は、ポリプロピレンより成」る点。
＜相違点１−２＞
　本件発明１は、「前記内層は、最外層として、ＥＶＯＨ樹脂からなるＥＶＯＨ層を備え」るのに対して、引用発明１は、「内層２は、低密度ポリエチレンにエチレン・ビニルアルコール共重合樹脂を挟合接着することにより多層化された機能性膜より成」る点。
＜相違点１−３＞
　本件発明１は、「前記外殻には、前記内袋と前記外殻の間の中間空間に外気を導入する外気導入孔が設けられ」るのに対して、引用発明１は、「固定リング３ａの回動により固定リング３ａ平面部が外層１の突部上にありリング凸部並びに内層厚の縦経分の通気孔８が開通し、外気が内外層間に補填され」る点。
＜相違点１−４＞
　本件発明１は、「前記容器本体の底面には、前記底面から突出する底シール突出部が設けられ、前記底シール突出部は、前記外層と前記内層に対応する積層構造を有する積層パリソンを用いたブロー成形における前記積層パリソンのシール部であ」るのに対して、引用発明１は、容器本体１１の底部がそのようになっていない点。
＜相違点１−５＞
　本件発明１は、「前記内容物は、醤油であ」るのに対して、引用発明１は、内容物が不明である点。
＜相違点１−６＞
　本件発明１は、「前記キャップは、前記口部に装着され、且つ逆止弁を有し、前記逆止弁は、前記内容物の吐出を許容し、且つ前記内袋内への外気の取り込みを制限するように構成され」るのに対して、引用発明１は、「蓋部は注出口部分５に設けられ、弁体２５を有し、使用後に、弁体２５により充填物は外気接触から保護され」る点。
ｂ　判断
　相違点１−１について検討する。
　引用文献３、引用文献４、引用文献５、引用文献６に示されるように、プロピレンとエチレンとの間のランダム共重合体からなるプロピレン共重合体からなるポリプロピレンは、透明性を期待できる包装材料として周知の事項（以下「周知事項１」という。）である。
　しかし、周知事項１は、相違点１−１に係る本件発明１の「外層は、プロピレンとエチレンとの間のランダム共重合体からなるプロピレン共重合体層を備え」、「前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であ」るという構成とは異なるものであるから、当業者といえども、引用発明１及び周知事項１から、相違点１−１に係る本件発明１の構成を容易に想到することはできない。
　よって、本件発明１は、他の相違点について判断するまでもなく、当業者であっても、引用発明１及び周知事項１に基いて容易に発明できたものであるとはいえない。
（イ）引用文献２に基づく取消理由について
ａ　対比
　本件発明１と引用発明２とを対比する。 
　引用発明２の「液体収納容器５０」は本件発明１の「容器本体」に相当し、以下同様に、「容器」は「積層剥離容器」に、「筐体６２」は「外殻」に、「内袋６２」は「内袋」に、「ＥＶＯＨなどのバリア層５９ｂ」は「ＥＶＯＨ樹脂からなるＥＶＯＨ層」に、「外気連通口５４」は「外気導入孔」に、それぞれ相当する。
　「キャップ」は一般的に「瓶のふた。」［株式会社岩波書店　広辞苑第六版］を意味し、また、「ふた（蓋）」は一般的に「容器や箱などの口・穴を覆いふさぐもの。」［株式会社岩波書店　広辞苑第六版］を意味するところ、引用文献２の図６を参照すると、引用発明２の「ポンプ部材５１」は、瓶状の部材である「液体収納容器５０」の「口部５３」を覆いふさぐものであるから、本件発明１の「キャップ」に相当する。
　引用文献２の図７を参照すると、「筐体６２」と「内袋５９」とは、「筐体６２」が外側の層、「内袋５９」が内側の層となっていることから、引用発明２において「液体収納容器５０は、筐体６２と内袋５９を有」することは、本件発明１において「前記容器本体は、外層と内層とを備え、前記外層によって外殻が構成され、前記内層によって内袋が構成され」ることに相当する。
　引用発明２の「内袋６２に収納された内容物の導出に伴い、筐体１１が変形することなく内袋１２のみが変形」することは、本件発明１の「前記内層によって内袋が構成され、内容物の減少に伴って前記内層が前記外層から剥離して前記内袋が収縮するように構成され」ることに相当する。
　引用文献２の図７を参照すると、「バリア層５９ｂ」が「内袋５９」の最外層になっていることから、引用発明２の「内袋５９の構成が、ポリプロピレンなどの内層５９ａと、ＥＶＯＨなどのバリア層５９ｂとの積層になって」いることは、本件発明１の「前記内層は、最外層として、ＥＶＯＨ樹脂からなるＥＶＯＨ層を備え」ることに相当する。
　引用文献２の図６を参照すると、「液体収納容器５０」は、「口部５３」と内容物を収容する部分からなるから、引用発明２の「液体収納容器５０は、口部５３を備え」ることは、本件発明１の「前記容器本体は、前記内容物を収容する収容部と、前記収容部から内容物を吐出する口部を備え」ることに相当する。
　引用文献２の図７を参照すると、引用発明２の「筐体６２の底面が突起５６ｃを形成して」いることは、本件発明１の「前記容器本体の底面には、前記底面から突出する底シール突出部が設けられ」ることに相当する。
　引用発明２の「突出部５６ｃは、筐体６２と内袋５９に対応する積層構造を有する多層のパリソンを用いたブロー成形におけるパリソンの溶着部であ」ることは、本件発明１の「前記底シール突出部は、前記外層と前記内層に対応する積層構造を有する積層パリソンを用いたブロー成形における前記積層パリソンのシール部であ」ることに相当する。
　以上のことから、本件発明１と引用発明２との一致点及び相違点は、次のとおりである。
＜一致点＞
「容器本体と、キャップを備える積層剥離容器であって、
前記容器本体は、外層と内層とを備え、前記外層によって外殻が構成され、前記内層によって内袋が構成され、内容物の減少に伴って前記内層が前記外層から剥離して前記内袋が収縮するように構成され、
前記内層は、最外層として、ＥＶＯＨ樹脂からなるＥＶＯＨ層を備え、
前記外殻には、前記内袋と前記外殻の間の中間空間に外気を導入する外気導入孔が設けられ、
前記容器本体は、前記内容物を収容する収容部と、前記収容部から内容物を吐出する口部を備え、
前記容器本体は、ブロー成形体であり、
前記容器本体の底面には、前記底面から突出する底シール突出部が設けられ、
前記底シール突出部は、前記外層と前記内層に対応する積層構造を有する積層パリソンを用いたブロー成形における前記積層パリソンのシール部である、積層剥離容器。」
＜相違点２−１＞
　「外層」に関して、本件発明１は、「プロピレンとエチレンとの間のランダム共重合体からなるプロピレン共重合体層を備え」、「最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であ」るのに対して、引用発明２は、「ポリプロプレンで形成され」ている点。
＜相違点２−２＞
　本件発明１は「前記内容物は、醤油であ」るのに対して、引用発明２は内容物が不明である点。
＜相違点２−３＞
　本件発明１は、「前記キャップは、前記口部に装着され、且つ逆止弁を有し、前記逆止弁は、前記内容物の吐出を許容し、且つ前記内袋内への外気の取り込みを制限するように構成され、前記外殻に圧縮力を加えることによって前記内容物が吐出されるように構成される」のに対して、引用発明２は、「ポンプ部材５１は、口部５３に設けられている」点。
ｂ　判断
　相違点２−１について検討する。
　周知事項１は、相違点２−１に係る本件発明１の「外層は、プロピレンとエチレンとの間のランダム共重合体からなるプロピレン共重合体層を備え」、「前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であ」るという構成とは異なるものであるから、当業者といえども、引用発明２及び周知事項１から、相違点２−１に係る本件発明１の構成を容易に想到することはできない。
　よって、本件発明２は、他の相違点について判断するまでもなく、当業者であっても、引用発明２及び周知事項１に基いて容易に発明できたものであるとはいえない。
ウ　本件発明２〜４について
　本件発明２〜４は、本件発明１の技術的事項をすべて含み、さらに限定を加えるものであるから、上記イで検討したのと同じ理由により、当業者が引用発明１又は引用発明２、及び周知事項１に基いて容易に発明をすることができたものであるとはいえない。
オ　理由２（進歩性）についてのまとめ
　請求項１〜４に係る発明は、引用発明１又は引用発明２、及び周知事項１に基いて、当業者が容易に発明をすることができたものであるとはいえない。
（３）付言
　特許権者は、令和２年９月１０日提出の訂正請求書において、「明細書段落３１には、外層１１が単層であっても複数層構成であってもよい点の開示がある。外層１１が単層である場合、外層１１の最内層は、必然的に、プロピレン共重合体層となる。」（４ページ１８〜２０行）と主張している。
　しかしながら、「層」は「かさなりをなすものの一つ。」［株式会社岩波書店　広辞苑第六版］を意味するから、「最内層」とは、
かさなりをなすもの
　そうすると、本件発明１の「外層の最内層」における「外層」は、かさなりをなすもの、すなわち複数層構成であって、単層とは認められない。
３．令和２年７月２１日付け取消理由（決定の予告）に採用しなかった異議申立理由
（１）異議申立の理由中、令和２年７月２１日付け取消理由（決定の予告）に採用しなかったものは、概略以下のとおりである。
ア　新規性
　本件発明１〜４は、申立人１が提出した甲第１号証（引用文献１３）、甲第２号証（引用文献１４）、甲第４号証（引用文献１５）又は甲第５号証（引用文献１６）に記載された発明であるから、特許法第２９条第１項第３号に該当し、同法第２９条第１項の規定に違反してされたものであり、その特許は、同法第１１３条第２号に該当するから、取り消されるべきものである。
イ　進歩性
　本件発明１〜４は、申立人１が提出した甲第１号証（引用文献１３）、甲第２号証（引用文献１４）、甲第４号証（引用文献１５）又は甲第５号証（引用文献１６）に記載された発明、及び周知の技術事項に基いて、あるいは、申立人２が提出した甲第１−１号証（引用文献１２）又は甲第１−２号証（引用文献２３）に記載された発明、及び甲第１−１号証（引用文献１２）、甲第２−１号証（引用文献２４）、甲第２−２号証（引用文献３）及び甲第３号証（引用文献７）に記載された事項に基いて、当業者が容易に発明をすることができたものであるから、特許法第２９条第２項の規定に違反してされたものであり、その特許は、同法第１１３条第２号に該当するから、取り消されるべきものである。
ウ　明確性
　本件発明１〜４についての特許は、次のとおり特許法第３６条第６項第２号に規定する要件を満たしていない特許出願に対してされたものであるから、その発明に係る特許は、同法第１１３条第４号に該当し、取り消されるべきものである。
　請求項１における「外層」の最内層がＥＶＯＨと接着性の良好な接着層などを備えてよいのか否かが明確でなく、請求項１における「プロピレン共重合体層」が「プロピレンと別のモノマーとの間のランダム共重合体」と他の材料とを混合したランダム共重合体により構成する層を含むのか否かが明確ではなく、請求項１における「プロピレンと別のモノマーとの間のランダム共重合体」が「別のモノマー」がどのようなモノマーであるか不明であるから、請求項１〜４に係る発明は、明確でない。
［引用文献等一覧］
１３．特開平１０−２１１９６１号公報（申立人１が提出した甲第１号証）
１４．特開平１１−７９２４５号公報（申立人１が提出した甲第２号証）
１５．特開２０１１−２３０８１７号公報（申立人１が提出した甲第４号証）
１６．特開２００５−４１５１４号公報（申立人１が提出した甲第５号証）
１７．特開平６−１９０９９２号公報（申立人１が提出した甲第８号証）
１８．特開２０１３−１９４０６１号公報（申立人１が提出した甲第９号証）
１９．特開２０１３−１９９０９８号公報（申立人１が提出した甲第１３号証）
２０．特開２０１４−１３７８８５号公報（申立人１が提出した甲第１４号証）
２１．石谷孝佑監修、「機能性食品包装材料」、普及版、株式会社　シーエムシー出版、２００５年４月２５日、ｐ．２００〜２１０（申立人１が提出した甲第１５号証）
２２．実用プラスチック辞典　編集委員会編集、「実用プラスチック事典」、初版第２刷、株式会社産業調査会　事典出版センター、１９９３年９月２０日、ｐ．１５６〜１５９（申立人１が提出した甲第１６号証）
２３．特開２０００−１６４５９号公報（申立人２が提出した甲第１−２号証）
２４．特開平９−１１００２８号公報（申立人２が提出した甲第２−１号証）
（２）当審の判断
ア　新規性、進歩性について
　本件発明１の「外層は、プロピレンとエチレンとの間のランダム共重合体からなるプロピレン共重合体層を備え」、「前記外層の最内層は、前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であ」る事項については、引用文献１〜２４には記載されておらず、また、周知技術であるともいえない。
　したがって、本件発明１〜４は、引用文献１３、引用文献１４、引用文献１５又は引用文献１６に記載された発明ではない。
　また、本件発明１〜４は、引用文献１２、引用文献１３、引用文献１４、引用文献１５、引用文献１６又は引用文献２３に記載された発明、引用文献１〜２４に記載された事項、及び周知技術に基いて容易に発明をすることができたものであるとはいえない。
イ　明確性について
（ア）「外層」について
　本件訂正後の請求項１においては、「外層の最内層」について、「前記プロピレン共重合体であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層」であることが特定された。これにより、ＥＶＯＨと接着性の良好な接着層などを備えるものではないことが明確となった。
（イ）「プロピレン共重合体層」について
　本件訂正後の請求項１においては、「プロピレン共重合体層」について、「プロピレンとエチレンとの間のランダム共重合体からなるプロピレン共重合体層」の記載から、「プロピレン共重合体層」の組成が「プロピレンとエチレンとの間のランダム共重合体」であることが理解できるため、その意味は明確である。
（ウ）「別のモノマー」について
　訂正前の請求項１における「別のモノマー」が、本件訂正により「エチレン」であることが特定され、明確となった。
（エ）よって、本件発明１〜４は、明確である。
第５　むすび
　以上のとおり、取消理由通知（決定の予告）に記載した取消理由及び申立人１及び申立人２の主張する特許異議申立理由によっては、本件発明１〜４に係る特許を取り消すことはできない。
　よって、結論のとおり決定する。
【異議決定日】
令和３年５月６日（２０２１．５．６）
【訂正の要旨】
審決（決定）の【理由】欄参照。
（５７）【特許請求の範囲】
　【請求項１】
容器本体と、キャップを備える積層剥離容器であって、
前記容器本体は、
前記外層によって外殻が構成され、前記内層によって内袋が構成され、
て前記内袋が
ように構成され、
前記外層は、プロピレンと
エチレン
前記内層は、最外層として、ＥＶＯＨ樹脂からなるＥＶＯＨ層を備え
、
前記外層の最内層は、前記プロピレン共重合体層であるか、又は低密度ポリエチレン、直鎖状低密度ポリエチレン、高密度ポリエチレン、ポリプロピレン、前記ランダム共重合体以外のエチレン−プロピレン共重合体及びその混合物から選択される材料で構成される層であり、
前記外殻には、前記内袋と前記外殻の間の中間空間に外気を導入する外気導入孔が設けられ、
前記容器本体は、前記内容物を収容する収容部と、前記収容部から内容物を吐出する口部を備え、
前記容器本体は、ブロー成形体であり、
前記容器本体の底面には、前記底面から突出する底シール突出部が設けられ、
前記底シール突出部は、前記外層と前記内層に対応する積層構造を有する積層パリソンを用いたブロー成形における前記積層パリソンのシール部であり、
前記内容物は、醤油であり、
前記キャップは、前記口部に装着され、且つ逆止弁を有し、
前記逆止弁は、前記内容物の吐出を許容し、且つ前記内袋内への外気の取り込みを制限するように構成され、
前記外殻に圧縮力を加えることによって前記内容物が吐出されるように構成され
積層剥離容器。
　【請求項２】
前記ＥＶＯＨ樹脂の融点は、前記ランダム共重合体よりも高
く、
前記底シール突出部は、折り曲げられている
　【請求項３】
前記ＥＶＯＨ樹脂の融点は、前記ランダム共重合体の融点よりも１５℃以上高
く、
前記底シール突出部において、前記内層が前記外層によって挟まれている
　【請求項４】
前記内層は、前記ＥＶＯＨ層よりも容器内面側に接着層を介してポリエチレン層を備え
、
前記外気導入孔を通じた空気の出入りを調整する弁部材が前記外気導入孔に装着されてい
、請